(57)【特許請求の範囲】
【請求項１】
光を反射する長尺状の反射ミラーの長手方向の一端部において前記反射ミラーの第１面に複数の点で接触して前記反射ミラーの移動を規制する第１規制部と、
前記一端部において前記反射ミラーの前記第１面とは反対側の第２面に接触して前記反射ミラーを弾性付勢する第１付勢部と、
前記反射ミラーの長手方向の他端部において前記反射ミラーの前記第１面に一点で接触する接触部と前記接触部の移動により前記反射ミラーの前記一端部と前記他端部との間の傾きを調整可能な位置調整部とを含み、前記反射ミラーの移動を規制する第２規制部と、
前記他端部において前記第２面上の一点で接触して前記反射ミラーを弾性付勢する第２付勢部と、
を備え、
前記反射ミラーが、前記反射ミラーの前記第２面に垂直であって前記接触部と前記第１面との接触点を通過する第１直線と、前記位置調整部による前記接触部の移動方向に平行であって前記接触点を通過する第２直線とが交差する状態で支持され、
前記第２付勢部が、前記位置調整部により前記接触部が予め定められた位置に調整された状態で前記第２直線と前記第２面との交点の一点で前記第２面に接触して前記反射ミラーを弾性付勢するミラー支持構造。
【請求項２】
前記接触点が、前記反射ミラーの前記第１面における前記反射ミラーの長手方向に垂直な短手方向の中心である請求項１に記載のミラー支持構造。
【請求項３】
前記第２付勢部が、前記反射ミラーの前記第２面に接触する押圧部で前記第２面を弾性付勢し、
前記押圧部が、前記位置調整部による予め定められた移動可能範囲内で前記接触部が移動する場合に前記第１直線が通過しない前記第２面上の領域内で移動する請求項１又は２に記載のミラー支持構造。
【請求項４】
前記第１付勢部及び前記第２付勢部が、前記第２面において前記第１直線を挟む位置で前記第２面を弾性付勢する請求項１〜３のいずれかに記載のミラー支持構造。
【請求項５】
請求項１〜４のいずれかに記載のミラー支持構造を備え、
前記ミラー支持構造で支持される前記反射ミラーが、光源から出射されて光走査部によって走査されるレーザー光の反射に用いられる光走査装置。
【請求項６】
請求項５に記載の光走査装置と、
前記光走査装置から出射される光によって静電潜像が形成される像担持体を含む画像形成ユニットと、
を備える画像形成装置。
【発明の詳細な説明】
【技術分野】
【０００１】
本発明は、光を反射する反射ミラーを支持するミラー支持構造、光走査装置、画像形成装置に関する。
【背景技術】
【０００２】
電子写真方式の画像形成装置は、レーザー光の走査により画像データに基づく静電潜像を像担持体に形成する光走査装置を備える。この種の光走査装置では、光源から出射されたレーザー光がポリゴンミラーなどの光走査部によって走査される。そして、光走査部によって走査されるレーザー光は、そのレーザー光の走査方向に長尺状である一又は複数の反射ミラーで反射して像担持体に導かれる。
【０００３】
ここで、前記反射ミラーは、前記反射ミラーの長手方向における一端部に設けられた第１支持部で二点支持され、他端部に設けられた第２支持部で一点支持されることがある（例えば、特許文献１参照）。例えば、前記第２支持部では、前記反射ミラーの反射面の一点に接触して前記反射ミラーを弾性付勢する付勢部と、前記反射ミラーの裏面の一点に接触して前記反射ミラーの移動を規制する規制部とを備える。
【先行技術文献】
【特許文献】
【０００４】
【特許文献１】特開２００３−１２１７７４号公報
【発明の概要】
【発明が解決しようとする課題】
【０００５】
ところで、前記第２支持部において、前記付勢部が、前記反射ミラーの反射面に垂直であって前記反射ミラーと前記規制部との接触点を通過する直線と前記反射面との交点に接触する構成であれば、前記接触点を中心に前記反射ミラーが振動するおそれがある。例えば、前記光走査装置では、レーザー光の走査精度が低下するおそれがあり、前記画像形成装置では、前記光走査装置における前記反射ミラーの振動によって画質が低下するおそれがある。
【０００６】
本発明の目的は、反射ミラーの振動を抑制することが可能なミラー支持構造、光走査装置、及び画像形成装置を提供することにある。
【課題を解決するための手段】
【０００７】
本発明の一の局面に係るミラー支持構造は、第１規制部と、第１付勢部と、第２規制部と、第２付勢部とを備える。前記第１規制部は、光を反射する長尺状の反射ミラーの長手方向の一端部において前記反射ミラーの第１面に複数の点で接触して前記反射ミラーの移動を規制する。前記第１付勢部は、前記一端部において前記反射ミラーの前記第１面とは反対側の第２面に接触して前記反射ミラーを弾性付勢する。前記第２規制部は、前記反射ミラーの長手方向の他端部において前記反射ミラーの前記第１面に一点で接触する接触部と前記接触部の移動により前記反射ミラーの前記一端部と前記他端部との間の傾きを調整可能な位置調整部とを含み、前記反射ミラーの移動を規制する。前記第２付勢部は、前記他端部において前記第２面上の一点で接触して前記反射ミラーを弾性付勢する。前記反射ミラーは、前記反射ミラーが、前記反射ミラーの前記第２面に垂直であって前記接触部と前記第１面との接触点を通過する第１直線と、前記位置調整部による前記接触部の移動方向に平行であって前記接触点を通過する第２直線とが交差する状態で支持される。前記第２付勢部は、前記位置調整部により前記接触部が予め定められた位置に調整された状態で前記第２直線と前記第２面との交点の一点で前記第２面に接触して前記反射ミラーを弾性付勢する。
【０００８】
本発明の他の局面に係る光走査装置は、前記ミラー支持構造を備え、前記反射ミラーが、光源から出射されて光走査部によって走査されるレーザー光の反射に用いられる。
【０００９】
本発明の他の局面に係る画像形成装置は、前記光走査装置と、前記光走査装置から出射される光によって静電潜像が形成される像担持体を含む画像形成ユニットとを備える。
【発明の効果】
【００１０】
本発明によれば、反射ミラーの振動を抑制することが可能なミラー支持構造、光走査装置、及び画像形成装置が提供される。
【図面の簡単な説明】
【００１１】
【図１】図１は、本発明の第１実施形態に係る画像形成装置の構成を示す図である。
【図２】図２は、本発明の第１実施形態に係る光走査装置が備えるミラー支持構造の一例を示す模式図である。
【図３】図３は、本発明の第１実施形態に係るミラー支持構造の一例を示す断面図である。
【図４】図４は、本発明の第１実施形態に係るミラー支持構造の一例を示す断面図である。
【図５】図５は、本発明の第２実施形態に係るミラー支持構造の一例を示す断面図である。
【図６】図６は、本発明の第３実施形態に係るミラー支持構造の一例を示す断面図である。
【発明を実施するための形態】
【００１２】
以下、添付図面を参照しながら、本発明の実施形態について説明する。なお、前記添付図面において定義される上下左右又は前後の方向を用いて説明することがある。また、以下の実施形態は、本発明を具体化した一例であって、本発明の技術的範囲を限定する性格を有さない。さらに、各実施形態の構成を任意に組み合わせることも可能である。
【００１３】
［第１実施形態］
図１に示すように、本発明の実施の形態に係る画像形成装置１０は、複数の画像形成ユニット１〜４と、中間転写ベルト５、光走査装置６、二次転写ローラー７、定着装置８、排紙トレイ９、給紙カセット２１、及び搬送経路２２などを備えるカラープリンターである。そして、画像形成装置１０は、入力される画像データに基づいて紙などのシートにモノクロ画像又はカラー画像を形成する。また、本発明に係る画像形成装置は、例えばファクシミリ装置、コピー機、又は複合機であってもよい。
【００１４】
画像形成ユニット１〜４各々は、感光体ドラム（像担持体）、帯電装置、現像装置、一次転写ローラー、及びクリーニング装置などを備える電子写真方式の画像形成ユニットである。画像形成ユニット１〜４は、中間転写ベルト５の走行方向に沿って並設されており、所謂タンデム方式の画像形成部を構成している。具体的に、画像形成ユニット１ではＣ（シアン）、画像形成ユニット２ではＭ（マゼンダ）、画像形成ユニット３ではＹ（イエロー）、画像形成ユニット４ではＫ（ブラック）に対応するトナー像が形成される。中間転写ベルト５は、画像形成ユニット１〜４各々の前記感光体ドラムに形成された各色のトナー像が中間転写される中間転写部材である。
【００１５】
光走査装置６は、入力される各色の画像データに基づいて光源から照射されるレーザー光を画像形成ユニット１〜４各々の前記感光体ドラムに走査することにより前記感光体ドラム各々に静電潜像を形成する。具体的に、光走査装置６は、ユニット筐体６０、光源ユニット６１、ポリゴンミラー６２、反射ミラー６３、第１走査レンズ６４、及び第２走査レンズ６５などを備える。
【００１６】
光源ユニット６１は、画像形成ユニット１〜４各々に対応するレーザー光を出射する光源及び各種の光学部品を含む。ポリゴンミラー６２は、光源ユニット６１から出射されるレーザー光各々を予め定められた走査方向に沿って走査する光走査部である。ポリゴンミラー６２で走査されるレーザー光各々は、第１走査レンズ６４及び第２走査レンズ６５を経て反射ミラー６３に導かれる。なお、第１走査レンズ６４は、複数のレーザー光の走査レンズとして兼用される。反射ミラー６３は、ポリゴンミラー６２によるレーザー光の走査方向に長尺状であり、ポリゴンミラー６２で走査されるレーザー光各々を反射させて画像形成ユニット１〜４各々の前記感光体ドラムに照射する。なお、光走査装置６では、画像形成ユニット１〜４各々に対応する反射ミラー６３のいずれか一つ又は複数がミラー支持構造２０によって支持される。
【００１７】
このように構成された画像形成装置１０では、給紙カセット２１から搬送経路２２に沿って供給されるシートに以下の手順でカラー画像が形成され、画像形成後のシートが排紙トレイ９に排出される。なお、搬送経路２２には、給紙カセット２１に積載されたシートを二次転写ローラー７及び定着装置８を経て排紙トレイ９に搬送する各種搬送ローラーが設けられている。
【００１８】
まず、画像形成ユニット１〜４各々では、前記帯電装置により前記感光体ドラムが所定の電位に一様に帯電される。次に、光走査装置６により前記感光体ドラム各々の表面に画像データに基づくレーザー光が走査されることにより、前記感光体ドラム各々の表面に静電潜像が形成される。そして、前記感光体ドラム各々の静電潜像は前記現像装置各々によって各色のトナー像として現像（可視像化）される。なお、前記現像装置各々には、各色に対応する着脱可能なトナーコンテナ１１〜１４からトナー（現像剤）が補給される。
【００１９】
続いて、画像形成ユニット１〜４各々の前記感光体ドラムに形成された各色のトナー像は、前記一次転写ローラー各々によって中間転写ベルト５に順に重ね合わせて転写される。これにより、中間転写ベルト５に画像データに基づくカラー像が形成される。次に、中間転写ベルト５上のカラー像は、二次転写ローラー７により、給紙カセット２１から搬送経路２２を経て搬送されるシートに転写される。その後、前記シートに転写されたカラー像は、定着装置８で加熱されて前記シートに溶融定着する。なお、前記感光体ドラム各々の表面に残存したトナーは前記クリーニング装置各々で除去される。
【００２０】
以下、図２〜図４を用いて、光走査装置６が備えるミラー支持構造２０について説明する。なお、図２は、ミラー支持構造２０の概略構成を示す模式図であり、図３及び図４は、ミラー支持構造２０の一例を示す断面図である。
【００２１】
図２に示されるように、ミラー支持構造２０は、反射ミラー６３の長手方向の一端部６３Ａを多点支持する第１支持部８１と、反射ミラー６３の長手方向の他端部６３Ｂを一点支持する第２支持部９１とを備える。
【００２２】
図２及び図３に示されるように、第１支持部８１は、第１規制部８１０及び第１付勢部８２０を備える。第１規制部８１０は、一端部６３Ａにおいて反射ミラー６３の反射面６３１とは反対側の裏面６３２に複数の点で接触して反射ミラー６３の移動を規制する。第１付勢部８２０は、一端部６３Ａにおいて反射ミラー６３の裏面６３２とは反対側の反射面６３１に接触して反射ミラー６３を弾性付勢する。なお、反射面６３１及び裏面６３２は平行である。
【００２３】
本実施形態では、反射面６３１が第１付勢部８２０に接触する第２面であり、裏面６３２が第１規制部８２０に接触する第１面である。一方、裏面６３２が第１付勢部８２０に接触する第２面であり、反射面６３１が第１規制部８２０に接触する第１面である構成も他の実施形態として考えられる。
【００２４】
第１規制部８１０は、二つの接触部８１１と底面支持部８１２とを有する。接触部８１１各々は、反射ミラー６３との接触面が断面円弧状であって、ユニット筐体６０に形成された突起である。なお、接触部８１１の接触面は平面又尖形であってもよい。接触部８１１各々は、反射ミラー６３の裏面６３２における長手方向に垂直な短手方向の異なる位置に設けられている。即ち、第１規制部８１０は、二つの接触部８１１によって反射ミラー６３の裏面６３２を二点で支持する。底面支持部８１２は、ユニット筐体６０に形成された突起であり、反射ミラー６３の底面６３３に接触して反射ミラー６３を支持する。
【００２５】
ミラー支持構造２０では、反射ミラー６３が一端部６３Ａにおいて二つの接触部８１１で二点支持されることによって、反射ミラー６３の反射面６３１の傾斜角度が設定されている。即ち、接触部８１１各々の反射ミラー６３の裏面６３２との接触点を結ぶ直線の角度が反射ミラー６３の反射面６３１の傾斜角度となる。
【００２６】
第１付勢部８２０は、弾性部材８２１を有する。弾性部材８２１は、反射ミラー６３の反射面６３１に一点で接触する押圧部８２２を有し、押圧部８２２によって反射ミラー６３の反射面６３１を弾性付勢する。なお、押圧部８２２は、反射ミラー６３の反射面６３１における反射ミラー６３の短手方向の中心を除く一点で反射面６３１に接触している。具体的に、図３に示される例では、押圧部８２２が反射面６３１において反射ミラー６３１の短手方向の中心よりも右下方の領域に接触している。なお、押圧部８２２が反射面６３１において反射ミラー６３１の短手方向の中心に接触していてもよい。
【００２７】
このように、反射ミラー６３の一端部６３Ａでは、第１規制部８１０及び第１付勢部８２０によって反射ミラー６３が挟持された状態で支持される。弾性部材８２１は、押圧部８２２が反射ミラー６３の長手方向に平行な軸を中心に円弧状に変位可能な板バネである。なお、弾性部材８２１は、例えばユニット筐体６０に形成された固定部８２３に固定される。
【００２８】
一方、図２及び図４に示されるように、第２支持部９１は、第２規制部９１０及び第２付勢部９２０を備える。第２規制部９１０は、他端部６３Ｂにおいて反射ミラー６３の裏面６３２に第１接触点Ｐ１の一点で接触して反射ミラー６３の移動を規制する。第２付勢部９２０は、他端部６３Ｂにおいて反射ミラー６３の反射面６３１に第２接触点Ｐ２の一点で接触して反射ミラー６３を弾性付勢する。
【００２９】
ところで、第２支持部９１において、第２付勢部９２０が、反射ミラー６３の反射面６３１に垂直であって第１接触点Ｐ１を通過する第１直線Ｑ１と反射面６３１との交点に接触する構成であれば、第１接触点Ｐ１を中心に反射ミラー６３が振動するおそれがある。例えば、光走査装置６では、レーザー光の走査精度が低下するおそれがあり、画像形成装置１０では、光走査装置６における反射ミラー６３の振動によって画質が低下するおそれがある。これに対し、本実施形態に係るミラー支持構造２０では、以下に説明するように、反射ミラー６３の振動を抑制することが可能である。
【００３０】
まず、図４に示されるように、第２支持部９１の第２規制部９１０は、支持板９１１及び位置調整部９１２を有する。支持板９１１は、ユニット筐体６０に形成されているネジ穴６０１各々にネジ６０２で螺合されることによってユニット筐体６０に固定される。
【００３１】
位置調整部９１２は、支持板９１１に固定されており、反射ミラー６３の一端部６３Ａ及び他端部６３Ｂの間の傾きを調整可能である。具体的に、位置調整部９１２は、接触部９１３と、先端保持部９１４と、第１駆動部９１５と、第２駆動部９１６と、固定ネジ９１７とを備える。なお、位置調整部９１２は、ここで説明する構成に限らず、反射ミラー６３の一端部６３Ａ及び他端部６３Ｂの間の傾きを調整可能であれば他の構成であってもよい。
【００３２】
接触部９１３は、第１駆動部９１５と一体構成されており、先端に形成された円弧状の接触面で反射ミラー６３の裏面６３２に第１接触点Ｐ１の一点で接触する。ここで、第１接触点Ｐ１は、例えば反射ミラー６３の裏面６３２における短手方向の中心である。なお、第１接触点Ｐ１は、反射ミラー６３の裏面６３２における短手方向の中心でなくてもよい。
【００３３】
先端保持部９１４は、支持板９１１と一体構成されており、先端保持部９１４に形成された開口９１４１内に嵌挿される接触部９１３の軸ブレを抑制する。なお、先端保持部９１４は省略されてもよい。また、先端保持部９１４に、反射ミラー６３の上面及び底面６３３の移動を規制する規制部が設けられていてもよい。
【００３４】
第１駆動部９１５及び第２駆動部９１６は、噛合する一対のウォームホイール及びウォームギアであって、第２駆動部９１６の回転に伴って第１駆動部９１５が回転する。第２駆動部９１６は、光走査装置６の製造時又はメンテナンス時などに作業者の手作業によって回転される。例えば、第２駆動部９１６の軸方向の端部に＋又は−の溝部が形成されており、作業者がプラスドライバー又はマイナスドライバーなどの工具を用いて第２駆動部９１６の回転操作が可能な構成が考えられる。また、第1駆動部９１５には、固定ネジ９１７が螺合されるネジ穴９１８が形成されている。
【００３５】
固定ネジ９１７は、支持板９１１に回転不能に固定されており、第１駆動部９１５に形成されたネジ穴９１８に螺合されている。これにより、第２駆動部９１６が回転して第１駆動部９１５が回転すると、第１駆動部９１５が固定ネジ９１７の軸方向に平行な移動方向Ｄ１に沿って移動することになる。即ち、位置調整部９１２では、第２駆動部９１６の駆動によって接触部９１３が第１駆動部９１５と共に移動方向Ｄ１に沿って移動可能であり、反射ミラー６３の一端部６３Ａ及び他端部６３Ｂの間の傾きが調整可能である。
【００３６】
第２付勢部９２０は、弾性部材９２１を有する。弾性部材９２１は、反射ミラー６３の長手方向に平行な軸を中心に円弧状に変位可能な押圧部９２２で反射面６３１を弾性付勢する板バネである。なお、弾性部材９２１は、例えばユニット筐体６０に形成された固定部９２３に固定される。
【００３７】
本実施形態では、図４に示されるように、反射ミラー６３が、第１直線Ｑ１と移動方向Ｄ１と平行であって第１接触点Ｐ１を通過する第２直線Ｑ２とが交差する状態で支持されている。即ち、反射ミラー６３は、第２直線Ｑ２と反射面６３１とが直交する状態から、接触点Ｐ１を中心に反時計回りに所定量だけ回転された状態で支持されている。そして、弾性部材９２１は、位置調整部９１２により接触部９１３が予め定められた位置に調整された特定の状態で第２直線Ｑ２と反射面６３１との交点の一点で反射面６３１に接触して反射ミラー６３を弾性付勢する。例えば、前記特定の状態は、位置調整部９１２により接触部９１３が位置調整部９１２による移動可能範囲の中央の位置に存在する状態である。なお、ミラー支持構造２０では、第２規制部９１０の接触部９１３が裏面６３２における反射ミラー６３の短手方向の中心に接触している。
【００３８】
また、弾性部材９２１では、位置調整部９１２による接触部９１３の移動に伴って、押圧部９２２が反射ミラー６３の長手方向に平行な軸を中心に円弧状に変位することになるため、反射面６３１における押圧部９２２との第２接触点Ｐ２が変位する。ここで、ミラー支持構造２０では、弾性部材９２１が、位置調整部９１２による予め定められた移動可能範囲内で接触部９１３が移動する場合に反射面６３１上における第１直線Ｑ１と交差しない領域内で押圧部９２２が移動するように構成されている。これにより、接触部９１３の移動に伴って押圧部９２２が反射面６３１上で移動しても、押圧部９２２が反射面６３１上における第１直線Ｑ１と反射面６３１との交点に接触しない。
【００３９】
例えば、図４に示される構成では、押圧部９２２が、反射ミラー６３の反射面６３１において第１直線Ｑ１よりも右下方の領域に接触し、第１直線Ｑ１よりも左上方の領域に接触しないように構成されている。
【００４０】
このように構成されたミラー支持構造２０では、第２規制部９１０の接触部９１３と反射ミラー６３の裏面６３２との第１接触点Ｐ１を中心として予め定められた一方向の回転モーメントが反射ミラー６３に常時作用することになる。具体的に、図４に示す例では、反射ミラー６３に対して時計回り方向の回転モーメントが作用する。
【００４１】
従って、ミラー支持構造２０では、反射ミラー６３が安定しており振動に強い状態で支持されることになり、反射ミラー６３の振動が抑制される。また、ミラー支持構造２０を有する光走査装置６ではレーザー光の走査精度が高くなる。そして、光走査装置６が搭載された画像形成装置１０では、反射ミラー６３の振動に起因する印刷物の画質の低下が抑制される。
【００４２】
なお、本実施形態では、複数の画像形成ユニット１〜４を備えるカラー対応の画像形成装置１０を例に挙げて説明したが、本発明に係る画像形成装置は、一つの画像形成ユニットを備えるモノクロ対応の画像形成装置にも適用可能である。
【００４３】
［第２実施形態］
前記第１実施形態では、反射ミラー６３が、第２直線Ｑ２と反射面６３１とが直交する状態から、接触点Ｐ１を中心に反時計回りに所定量だけ回転された状態で支持されている場合について説明した。一方、反射ミラー６３が、第２直線Ｑ２と反射面６３１とが直交する状態から、接触点Ｐ１を中心に時計回りに所定量だけ回転された状態で支持される構成も他の実施形態として考えられる。ここで、図５は、ミラー支持構造２０の他の例を示す図である。
【００４４】
図５に示されるように、当該第２実施形態に係るミラー支持構造２０では、反射ミラー６３が、第２規制部９１０の接触部９１３と裏面６３２との接触点Ｐ１を中心に時計回りに所定量だけ回転された状態で支持されている。即ち、当該第２実施形態に係るミラー支持構造２０でも、第１直線Ｑ１と第２直線Ｑ２とが交差している。
【００４５】
そして、第２付勢部９２０の弾性部材９２１の押圧部９２２は、位置調整部９１２により接触部９１３が予め定められた位置に調整された前記特定の状態で第２直線Ｑ２と反射面６３１との交点の一点で反射面６３１に接触している。これにより、反射ミラー６３には、接触部９１３と裏面６３２との接触点Ｐ１を中心として予め定められた反時計回り方向の回転モーメントが反射ミラー６３に常時作用することになり、反射ミラー６３がより安定して支持される。
【００４６】
また、このように第１直線Ｑ１及び第２直線Ｑ２は任意の角度で交差していてもよいため、反射ミラー６３の反射面６３１の角度の自由度が高い。従って、光走査装置６において、複数の反射ミラー６３を支持するミラー支持構造２０に同一の第２支持部９１などの構成要素を用いることが可能である。
【００４７】
［第３実施形態］
前記第１実施形態では、反射ミラー６３の反射面６３１における第１直線Ｑ１から同じ方向の領域（下方向）が、第１付勢部８２０及び第２付勢部９２０によって弾性付勢される場合について説明した。一方、第１付勢部８２０及び第２付勢部９２０各々が、反射ミラー６３の反射面６３１における第１直線Ｑ１から異なる方向の領域に接触して反射ミラー６３を弾性付勢することも他の実施形態として考えられる。ここで、図６はミラー支持構造２０の他の例を示す図である。
【００４８】
図６に示されるように、当該第３実施形態に係るミラー支持構造２０では、第１付勢部８２０の弾性部材８２１の押圧部８２２が、第１直線Ｑ１を挟んで第２付勢部９２０の弾性部材９２１の押圧部９２２とは反対側の領域（上側）に接触している。特に、第１付勢部８２０及び第２付勢部９２０によって反射ミラー６３に作用する回転モーメントが同等になるように、第１付勢部８２０と表面６３１との接触位置、第２付勢部９２０と表面６３１との接触位置、並びに第１付勢部８２０及び第２付勢部９２０各々の付勢力などが設定される。例えば、第１付勢部８２０及び第２付勢部９２０各々の付勢力が同じであり、第１付勢部８２０及び第２付勢部９２０各々による付勢箇所が第１直線Ｑ１から等間隔に設定されていることが考えられる。
【００４９】
このような構成によっても、第２規制部９１０の接触部９１３と反射ミラー６３の裏面６３２との接触点を中心に反射ミラー６３に作用する回転モーメントが相殺されるため、反射ミラー６３がミラー支持構造２０によって安定して支持される。
【符号の説明】
【００５０】
１〜４  画像形成ユニット
５    中間転写ベルト
６    光走査装置
７    二次転写ローラー
８    定着装置
９    排紙トレイ
１０  画像形成装置
６０  ユニット筐体
６１  光源ユニット
６２  ポリゴンミラー
６３  反射ミラー
６４  第１走査レンズ
６５  第２走査レンズ
８１  第１支持部
８１０  第１規制部
８２０  第１付勢部
９１  第２支持部
９１０  第２規制部
９１２  位置調整部
９１３  接触部
９２０  第２付勢部
【図１】
0006350454.tif 000002
【図２】
0006350454.tif 000003
【図３】
0006350454.tif 000004
【図４】
0006350454.tif 000005
【図５】
0006350454.tif 000006
【図６】
0006350454.tif 000007